(57)【要約】【課題】印刷された用紙の読み取り画像を、正常時は見やすく、異常時は異常の状態が分かるようにしてファイル化することのできる画像処理装置を提供する。【解決手段】画像形成装置１１で印刷された用紙をインラインの読取部２０で読み取って得た読み取り画像の正常・異常を解析し、正常時は、読み取り画像に正常用の画像処理を施してファイル化し、異常時は、位置調整もしくは階調調整の内容が正常時とは異なる異常用の画像処理を読み取り画像に施してファイル化する。たとえば、地肌に汚れの有る異常を検出した場合は地肌除去を行わないように画像処理の内容を変更する。【選択図】図１
2019201381.tif 000002
【特許請求の範囲】
【請求項１】
印刷された用紙を読取部で光学的に読み取って得た読み取り画像と、画像の異常を検出する画像解析部で前記読み取り画像を解析して得た解析結果を入力する入力部と、
画像処理部と、
前記読み取り画像を、前記解析結果に応じて位置調整もしくは階調調整の内容を変更した画像処理を施してファイル化するファイル生成部と、
を有する
ことを特徴とする画像処理装置。
【請求項２】
前記ファイル生成部は、前記解析結果に応じて、領域毎に、位置調整もしくは階調調整の内容を変更する
ことを特徴とする請求項１に記載の画像処理装置。
【請求項３】
前記解析結果に応じて変更する画像処理は、γ変換、フィルタ処理、孤立点除去、色変換、位置補正、２値化処理、画像圧縮処理の中のいずれか１つ以上である
ことを特徴とする請求項１または２に記載の画像処理装置。
【請求項４】
前記ファイル生成部は、前記解析結果が異常ありの場合は、前記解析結果が異常なしの場合に前記読み取り画像に施す画像処理の内の少なくとも１つを施さない
ことを特徴とする請求項１乃至３のいずれか１つに記載の画像処理装置。
【請求項５】
前記ファイル生成部は、前記解析結果が異常ありの場合は、その異常が強調されるように画像処理の内容を変更する
ことを特徴とする請求項１乃至３のいずれか１つに記載の画像処理装置。
【請求項６】
ユーザから前記変更の程度の設定を受け付ける設定部をさらに有し、
前記ファイル生成部は、前記設定部でユーザから受け付けた設定に従って前記画像処理部で前記読み取り画像に画像処理を施す
ことを特徴とする請求項１乃至５のいずれか１つに記載の画像処理装置。
【請求項７】
前記ファイル生成部は、前記変更の程度を、前記解析結果が示す前記読み取り画像から検出された異常の属性に応じて切り替える
ことを特徴とする請求項１乃至５のいずれか１つに記載の画像処理装置。
【請求項８】
前記ファイル生成部は、前記解析結果を含めて前記ファイル化を行う
ことを特徴とする請求項１乃至７のいずれか１つに記載の画像処理装置。
【請求項９】
印刷された用紙を光学的に読み取る読取部と、
前記読取部から出力された読み取り画像を解析して異常を検出する画像解析部と、
前記読み取り画像と前記画像解析部の解析結果を入力する請求項１乃至８のいずれか１つに記載の画像処理装置と、
を有する
ことを特徴とする画像処理システム。
【請求項１０】
情報処理装置で実行されるプログラムであって、
印刷された用紙を読取部で光学的に読み取って得た読み取り画像と、画像の異常を検出する画像解析部で前記読み取り画像を解析して得た解析結果を入力する入力ステップと、
前記読み取り画像に施す位置調整もしくは階調調整に係る画像処理の内容を前記解析結果に応じて変更して設定する設定ステップと、
前記設定ステップで設定された内容の画像処理を前記読み取り画像に施す画像処理ステップと、
前記画像処理ステップで処理された前記読み取り画像をファイル化するファイル生成ステップと、
を有する
ことを特徴とするプログラム。
【請求項１１】
前記設定ステップでは、前記解析結果に応じて、領域毎に、位置調整もしくは階調調整の内容を変更する
ことを特徴とする請求項１０に記載のプログラム。
【請求項１２】
前記解析結果に応じて変更する画像処理は、γ変換、フィルタ処理、孤立点除去、色変換、位置補正、２値化処理、画像圧縮処理の中のいずれか１つ以上である
ことを特徴とする請求項１０または１１に記載のプログラム。
【請求項１３】
前記設定ステップでは、前記解析結果が異常ありの場合は、前記解析結果が異常なしの場合に前記読み取り画像に施す画像処理の内の少なくとも１つを施さないように画像処理の内容を設定する
ことを特徴とする請求項１０乃至１２のいずれか１つに記載のプログラム。
【請求項１４】
前記設定ステップでは、前記解析結果が異常ありの場合は、その異常が強調されるように画像処理の内容を設定する
ことを特徴とする請求項１０乃至１２のいずれか１つに記載のプログラム。
【請求項１５】
ユーザから、前記読み取り画像に施す画像処理の程度の指定を受け付けるユーザ指定ステップをさらに有し、
前記設定ステップでは、前記ユーザ指定ステップで受け付けた指定に従って前記読み取り画像に施す画像処理の程度を設定する
ことを特徴とする請求項１０乃至１４のいずれか１つに記載のプログラム。
【請求項１６】
前記設定ステップでは、前記読み取り画像に施す画像処理の程度を、前記解析結果が示す前記読み取り画像から検出された異常の属性に応じて切り替える
ことを特徴とする請求項１０乃至１４のいずれか１つに記載のプログラム。
【請求項１７】
前記ファイル生成ステップでは、前記解析結果を含めて前記ファイル化を行う
ことを特徴とする請求項１０乃至１６のいずれか１つに記載のプログラム。
【発明の詳細な説明】
【技術分野】
【０００１】
本発明は、印刷された用紙を光学的に読み取って得た画像をファイル化する画像処理装置、画像処理システムおよびプログラムに関する。
【背景技術】
【０００２】
近年、印刷装置によって用紙に印刷された画像の異常を検出する方法として、印刷装置の後段の搬送路上にスキャナを設け、印刷された各用紙を光学的に読み取って得た画像を解析して異常を検出する方法がある（たとえば、特許文献１参照）。
【０００３】
上記の解析では、印刷された用紙をスキャナで読み取って得た読み取り画像と、用紙に印刷した印刷画像とを比較して差分を検出し、差分が規定値以上の場合に異常と判断する。異常と判断された場合、その用紙のどの箇所にどのような異常があったかをユーザが後に認識できるように、読み取り画像と解析結果を含むファイルを印刷履歴として作成し保存することが行われる。この印刷履歴は異常がある場合に限らず、正常に印刷された場合にも作成され、正常時は、正常に印刷されたことを証明する証拠として保存される。正常時に作成する印刷履歴では、人の目に見えやすいように、読み取り画像に対して、γ変換や地肌の除去などの画像処理が施される。
【先行技術文献】
【特許文献】
【０００４】
【特許文献１】特開２０１３−２００２２２号公報
【発明の概要】
【発明が解決しようとする課題】
【０００５】
正常時の印刷履歴を作成する際に読み取り画像に施す画像処置と同じ画像処理を異常検出時の読み取り画像に施して異常時の印刷履歴を作成すると、画像処理によって異常の箇所や状態がわかり難くなる恐れがある。たとえば、地肌の汚れにより異常と判断された読み取り画像に対して地肌除去の処理を施すと、汚れの状態が分からなくなるおそれがある。
【０００６】
本発明は、上記の問題を解決しようとするものであり、印刷された用紙の読み取り画像を、正常時は見やすくして、異常時は異常の状態が分かるようにしてファイル化することのできる画像処理装置、画像処理システムおよびプログラムを提供することを目的としている。
【課題を解決するための手段】
【０００７】
かかる目的を達成するための本発明の要旨とするところは、次の各項の発明に存する。
【０００８】
［１］印刷された用紙を読取部で光学的に読み取って得た読み取り画像と、画像の異常を検出する画像解析部で前記読み取り画像を解析して得た解析結果を入力する入力部と、
画像処理部と、
前記読み取り画像を、前記解析結果に応じて位置調整もしくは階調調整の内容を変更した画像処理を施してファイル化するファイル生成部と、
を有する
ことを特徴とする画像処理装置。
【０００９】
上記発明および下記［１０］に記載の発明では、読み取り画像をファイル化する際に、該読み取り画像に対して施す位置調整もしくは階調調整に関する画像処理の内容を、画像解析部での解析結果に応じて変更する。たとえば、正常時の読み取り画像に施す画像処理と、異常時の読み取り画像に施す画像処理を変更する。
【００１０】
［２］前記ファイル生成部は、前記解析結果に応じて、領域毎に、位置調整もしくは階調調整の内容を変更する
ことを特徴とする［１］に記載の画像処理装置。
【００１１】
上記発明および下記［１１］に記載の発明では、１ページの中の領域毎に、その領域に施す画像処理（位置調整もしくは階調調整）の内容を変更する。
【００１２】
［３］前記解析結果に応じて変更する画像処理は、γ変換、フィルタ処理、孤立点除去、色変換、位置補正、２値化処理、画像圧縮処理の中のいずれか１つ以上である
ことを特徴とする［１］または［２］に記載の画像処理装置。
【００１３】
［４］前記ファイル生成部は、前記解析結果が異常ありの場合は、前記解析結果が異常なしの場合に前記読み取り画像に施す画像処理の内の少なくとも１つを施さない
ことを特徴とする［１］乃至［３］のいずれか１つに記載の画像処理装置。
【００１４】
上記発明および下記［１３］に記載の発明では、正常時に施す画像処理を異常時は施さないようにすることで、画像処理によって異常の状態が見難くなったり消えたりすることが防止される。
【００１５】
［５］前記ファイル生成部は、前記解析結果が異常ありの場合は、その異常が強調されるように画像処理の内容を変更する
ことを特徴とする［１］乃至［３］のいずれか１つに記載の画像処理装置。
【００１６】
上記発明および下記［１４］に記載の発明では、異常時に施す画像処理によって異常が強調されて見やすくなる。
【００１７】
［６］ユーザから前記変更の程度の設定を受け付ける設定部をさらに有し、
前記ファイル生成部は、前記設定部でユーザから受け付けた設定に従って前記画像処理部で前記読み取り画像に画像処理を施す
ことを特徴とする［１］乃至［５］のいずれか１つに記載の画像処理装置。
【００１８】
上記発明および下記［１５］に記載の発明では、画像処理の内容や程度（オンオフを含む）をユーザが設定変更することができる。
【００１９】
［７］前記ファイル生成部は、前記変更の程度を、前記解析結果が示す前記読み取り画像から検出された異常の属性に応じて切り替える
ことを特徴とする［１］乃至［５］のいずれか１つに記載の画像処理装置。
【００２０】
上記発明および下記［１６］に記載の発明では、異常の属性、たとえば、異常の発生場所、サイズ、濃度、種類などに応じて、読み取り画像に施す画像処理の程度（オンオフを含む）を変更する。
【００２１】
［８］前記ファイル生成部は、前記解析結果を含めて前記ファイル化を行う
ことを特徴とする［１］乃至［７］のいずれか１つに記載の画像処理装置。
【００２２】
上記発明および下記［１７］に記載の発明では、画像処理された読み取り画像とその解析結果を含むファイルが生成される。
【００２３】
［９］印刷された用紙を光学的に読み取る読取部と、
前記読取部から出力された読み取り画像を解析して異常を検出する画像解析部と、
前記読み取り画像と前記画像解析部の解析結果を入力する［１］乃至［８］のいずれか１つに記載の画像処理装置と、
を有する
ことを特徴とする画像処理システム。
【００２４】
［１０］情報処理装置で実行されるプログラムであって、
印刷された用紙を読取部で光学的に読み取って得た読み取り画像と、画像の異常を検出する画像解析部で前記読み取り画像を解析して得た解析結果を入力する入力ステップと、
前記読み取り画像に施す位置調整もしくは階調調整に係る画像処理の内容を前記解析結果に応じて変更して設定する設定ステップと、
前記設定ステップで設定された内容の画像処理を前記読み取り画像に施す画像処理ステップと、
前記画像処理ステップで処理された前記読み取り画像をファイル化するファイル生成ステップと、
を有する
ことを特徴とするプログラム。
【００２５】
［１１］前記設定ステップでは、前記解析結果に応じて、領域毎に、位置調整もしくは階調調整の内容を変更する
ことを特徴とする［１０］に記載のプログラム。
【００２６】
［１２］前記解析結果に応じて変更する画像処理は、γ変換、フィルタ処理、孤立点除去、色変換、位置補正、２値化処理、画像圧縮処理の中のいずれか１つ以上である
ことを特徴とする［１０］または［１１］に記載のプログラム。
【００２７】
［１３］前記設定ステップでは、前記解析結果が異常ありの場合は、前記解析結果が異常なしの場合に前記読み取り画像に施す画像処理の内の少なくとも１つを施さないように画像処理の内容を設定する
ことを特徴とする［１０］乃至［１２］のいずれか１つに記載のプログラム。
【００２８】
［１４］前記設定ステップでは、前記解析結果が異常ありの場合は、その異常が強調されるように画像処理の内容を設定する
ことを特徴とする［１０］乃至［１２］のいずれか１つに記載のプログラム。
【００２９】
［１５］ユーザから、前記読み取り画像に施す画像処理の程度の指定を受け付けるユーザ指定ステップをさらに有し、
前記設定ステップでは、前記ユーザ指定ステップで受け付けた指定に従って前記読み取り画像に施す画像処理の程度を設定する
ことを特徴とする［１０］乃至［１４］のいずれか１つに記載のプログラム。
【００３０】
［１６］前記設定ステップでは、前記読み取り画像に施す画像処理の程度を、前記解析結果が示す前記読み取り画像から検出された異常の属性に応じて切り替える
ことを特徴とする［１０］乃至［１４］のいずれか１つに記載のプログラム。
【００３１】
［１７］前記ファイル生成ステップでは、前記解析結果を含めて前記ファイル化を行う
ことを特徴とする［１０］乃至［１６］のいずれか１つに記載のプログラム。
【発明の効果】
【００３２】
本発明に係る画像処理装置、画像処理システムおよびプログラムによれば、印刷された用紙の読み取り画像を、正常時は見やすくして、異常時は異常の状態が分かるようにしてファイル化することができる。
【図面の簡単な説明】
【００３３】
【図１】本発明の実施の形態に係る印刷システムの概略構成を示す図である。
【図２】インラインスキャナユニットが有する読取部の構成例を示す図である。
【図３】印刷システムの電気的な概略構成を示すブロック図である。
【図４】正常時の読み取り画像をファイル生成部がファイル化する工程を示す流れ図である。
【図５】異常時の読み取り画像をファイル生成部がファイル化する際の最小工程を示す流れ図である。
【図６】読み取り画像に施す画像処理を正常・異常および異常の発生場所に応じて切り替える場合におけるファイル生成部の処理を示す流れ図である。
【図７】読み取り画像に施す画像処理の内容を領域毎に変更する場合におけるファイル生成部の処理を示す流れ図である。
【図８】異常時に施す画像処理の内容を自動設定する処理を示す流れ図である。
【発明を実施するための形態】
【００３４】
以下、図面に基づき本発明の実施の形態を説明する。
図１は、本発明の実施の形態に係る印刷システム１０の概略構成を示している。印刷システム１０は、外部装置から印刷データを受信し、該印刷データに基づいて用紙に画像を形成（印刷）して出力する画像形成装置１１と、画像形成装置１１の後段に接続されたインラインスキャナユニット１２と、インラインスキャナユニット１２の後段に接続されたスタッカユニット１３を備えて構成される。
【００３５】
画像形成装置１１は、無端で環状に掛け渡された中間転写ベルトと、この中間転写ベルトに沿って配置されたC,M,Y,K各色の像形成ユニットを備え、像形成ユニットによって中間転写ベルト上にC,M,Y,K各色のトナー像を重畳してフルカラーのトナー像を形成する。そして、中間転写ベルト上に形成したトナー像を、給紙トレイから搬送されてきた用紙に転写し、さらに定着器で用紙に熱定着させた後、該用紙を後段のインラインスキャナユニット１２に向けて出力する。画像形成装置１１は、上記のようなタンデム式の電子写真方式に限定されず、用紙に画像を形成する方式は任意でよい。
【００３６】
インラインスキャナユニット１２は、画像形成装置１１から受け入れた用紙を自装置の後段のスタッカユニット１３へ搬送する。また、インラインスキャナユニット１２は、搬送される用紙の両面を読取部２０でスキャンして光学的に読み取り、その読み取り画像を解析して印刷物の正常／異常を判断し、その判断結果と読み取り画像を含むファイルを生成する画像処理システム４０の機能を備えている。
【００３７】
スタッカユニット１３は、インラインスキャナユニット１２から搬送されてきた用紙を正常排紙部１３ａと異常排紙部１３ｂのいずれかに排出してスタックする。スタッカユニット１３は、インラインスキャナユニット１２から到来する用紙（印刷物）の正常／異常を示す情報を画像処理システム４０から受け取り、正常な印刷物は正常排紙部１３ａへ排出し、異常のある印刷物は異常排紙部１３ｂを排出する。
【００３８】
検出する異常には、汚れ、スジ、ホタル、といったものがある。汚れは用紙のどこにでも出現し得るが、スジやホタルは白紙の紙面上には現れず、画像が形成されている領域にのみ現れる。ホタルは点状に現れる濃度ムラ等の異常であり、スジは、ホタルが線状に連続して現れる画像異常などである。
【００３９】
図２は、インラインスキャナユニット１２が有する読取部２０の構成例を示している。読取部２０は、用紙の両面を１パスで読み取るため、用紙の表面を読み取る上面側ラインイメージセンサ２１と、用紙の裏面を読み取る下面側ラインイメージセンサ２２を有する。各ラインイメージセンサ２１、２２は、用紙と平行であって用紙の搬送方向に直交する方向（主走査方向とする）の１ラインを１度に読み取る。各々のラインイメージセンサ２１、２２の前後には、用紙を保持、搬送するための用紙搬送機構が設けてある。用紙搬送機構は、対向配置された搬送ローラ２３等により構成される。
【００４０】
読取部２０は、搬送される用紙を、搬送路上に固定されたラインイメージセンサ２１、２２で主走査方向のライン単位に繰り返し読み取ることで、搬送される用紙を２次元に読み取る。
【００４１】
図３は、印刷システム１０の電気的な概略構成を示すブロック図である。画像形成装置１１は、入力された印刷データをＲＩＰして得た画像データに対して印刷用の画像処理（倍率変換、階調補正など）を施す入力画像処理部５２を有する。画像形成装置１１の印刷部５１は、入力画像処理部５２が出力する印刷用画像データに基づいて用紙に画像を印刷する。印刷部５１は、前述した中間転写ベルト、像形成ユニット、定着装置、搬送部およびこれらの動作を制御する制御部などで構成される。
【００４２】
画像処理システム４０は、読取部２０、画像解析部４２、画像処理装置３０を備えている。画像解析部４２は、読取部２０から読み取り画像の画像データを入力し、これを解析して、読み取り画像の異常を検出する。
【００４３】
画像処理装置３０は、制御部としてのＣＰＵ３１に、画像処理部３２、記憶部３３、入力部３４、設定部３５、ネットワーク通信部３６等を接続して構成される。記憶部３３は、不揮発メモリ、ＲＡＭ（Random Access Memory）、ハードディスク装置などで構成され、プログラムや各種データを記憶する機能、プログラムの実行時に各種データを一時的保持するワークメモリとしての機能を果たす。
【００４４】
入力部３４は、読取部２０から読み取り画像の画像データを入力したり、画像解析部４２から読み取り画像の解析結果を入力したりする。さらに入力部３４は、画像形成装置１１から、用紙に印刷された画像に対応する印刷用画像データの入力を受ける。印刷用画像データは画像解析部４２にも入力されている。
【００４５】
画像処理部３２は、入力部３４から入力された読み取り画像の画像データに対して、位置調整もしくは階調調整に関する各種の画像処理を施す。たとえば、γ変換、フィルタ処理、孤立点除去、色変換、位置補正、２値化処理、画像圧縮処理などの画像処理を施す機能を有する。γ変換、フィルタ処理、孤立点除去、色変換、２値化処理などは階調調整に係る画像処理である。
【００４６】
設定部３５は、読み取り画像の画像データに対して画像処理部３２で施す画像処理の内容や程度の設定をユーザから受け付ける機能を果たす。
【００４７】
ネットワーク通信部３６は、ＬＡＮ（Local Area Network）などのネットワークを通じて各種の外部装置（ＰＣ、サーバ、ＨＤＤなど）３と通信する機能を果たす。
【００４８】
ＣＰＵ３１は、プログラムを実行することでファイル生成部３８の機能を果たす。ファイル生成部３８は、読み取り画像とこの読み取り画像関する画像解析部４２での解析結果を含むファイルを生成してファイル化する。ファイル化に際して、ファイル生成部３８は、画像処理部３２で施す画像処理の内容（位置調整もしくは階調調整に係る画像処理の内容）を変更する。
【００４９】
たとえば、読み取り画像が正常であることを解析結果が示す場合（正常時）は、人の目に見えやすいように、読み取り画像に対して、γ変換や地肌除去などの画像処理を施す。一方、読み取り画像に異常があることを解析結果が示す場合（異常時）は、その用紙のどの箇所にどのような異常があるかをユーザが後に認識できるように、画像処理の内容を正常時とは相違させる。たとえば、異常が地肌の汚れであれば、正常時に行われる地肌除去を行わないように画像処理の内容を変更する。
【００５０】
なお、画像処理装置３０、画像処理システム４０等の構成は図３に示すものに限定されない。たとえば、画像処理部３２や画像解析部４２の機能を画像処理装置３０のＣＰＵ３１が果たすように構成されてもよい。
【００５１】
次に、印刷システム１０で印刷する際の処理の概要を説明する。
【００５２】
画像形成装置１１で印刷した用紙は、後段のインラインスキャナユニット１２の読取部２０で光学的に読み取られ、該読み取りで得た読み取り画像の画像データは画像解析部４２および画像処理装置３０に入力される。画像処理装置３０は入力された読み取り画像を記憶部３３に記憶する。画像解析部４２は入力された読み取り画像を解析して印刷物として正常か否かを判断し、解析結果を画像処理装置３０へ出力する。画像処理装置３０は、画像解析部４２から入力された解析結果を記憶部３３に保持する。
【００５３】
読み取り画像の解析結果（正常／異常）は画像形成装置１１およびスタッカユニット１３にも通知される。スタッカユニット１３は、正常と判断された用紙は正常排紙部１３ａに排紙し、異常と判断された用紙は異常排紙部１３ｂに排紙する。画像形成装置１１は、異常が検出された場合は、異常と判断されたページを含む用紙から再印刷を実施して自動的にリカバリを行う。これにより、正常排紙部１３ａには正常な印刷物がスタックされる。
【００５４】
画像処理装置３０のファイル生成部３８は、記憶部３３に記憶されている読み取り画像および解析結果から、印刷履歴となるファイルを生成する。生成されたファイルは、記憶部３３に記憶するほか、ネットワーク通信部３６を通じてサーバ等の外部装置３に転送することも可能になっており、ユーザは該ファイルを記憶部３３等から読み出して閲覧することができる。
【００５５】
ファイル生成部３８によって生成されるファイルには、以下の２種類があり、分類して保存される。
【００５６】
（１）スタッカユニット１３の正常排紙部１３ａに排出された正常画像のみを集めたファイル（正常ファイルとする）
正常ファイルは、印刷作業者や印刷を依頼したユーザを対象とし、ページの欠損なく確実に指定枚数分が印刷されて納品されたことの証拠として作成される。正常ファイルでは、読み取り画像に対して、見た目にきれいで見やすくなるような画像処理を施す。
【００５７】
（２）異常排紙部１３ｂに排出された異常画像のみを集めたファイル（異常ファイルとする）
異常ファイルは、印刷会社の管理者・作業者等を対象とし、どの箇所にどのような異常が発生したかを確実かつ簡単に確認できるようにすることを目的に作成される。異常ファイルについては、汚れなどの異常な部分が分かり難くなったり消えたりしないように画像処理の内容が正常時とは異なるものに変更される。
【００５８】
図４は、正常時の読み取り画像をファイル生成部３８がファイル化する工程を示す流れ図である。正常時は、読み取り画像の画像データに対して、地肌除去などのためのγ変換（Ｓ１０１）、孤立点除去（Ｓ１０２）、色変換（Ｓ１０３）、２値化処理（文字部分などに対して）（Ｓ１０４）、回転や倍率補正などの位置補正（Ｓ１０５）、用紙外領域を削除する画像トリミング（Ｓ１０６）、画像圧縮（Ｓ１０７）などの画像処理を施す。そして、これらの画像処理がほどこされた読み取り画像と解析結果を、ＰＤＦなどのファイル形式のファイルにファイル化する（Ｓ１０８）。
【００５９】
一般的に読取部２０でスキャンして得た画像データ（RGBデータ）は見た目に暗く、白紙の部分にもノイズ感がある。またスキャン時に傾きなどが発生したり、紙の後ろの背景が映り込んだりする場合もある。これらは画像の確認には不要なノイズであるため、正常時の読み取り画像については、これらのノイズが排除されるように、図４に示すような各種の画像処理を施し、見やすくしてファイル化する。
【００６０】
図５は、異常時の読み取り画像をファイル生成部３８がファイル化する工程の一例を示す流れ図である。異常ファイルは、異常内容の確認を目的としたものであるため、正常時と同様の画像処理を行うと、微小な異常画像が消えたり形状が変化したりして、正しく異常を確認できなくなる可能性がある。そこで、異常時は、正常時とは異なる画像処理を読み取り画像に対して施す。
【００６１】
図５は、異常時の読み取り画像をファイル生成部３８がファイル化する工程として、最も簡素な場合の例を示している。図５の処理では、微小な汚れが削除されないように、画像がぼけたり、消えたりする可能性のある画像処理は全て排除してあり、読み取り画像の画像データをそのままファイル化している（Ｓ２０１）。これにより、異常画像検知時と同等の画像となるため、微小な汚れなどの微妙な画像変化の異常であってもその異常が確実に見える状態の読み取り画像をファイル化することができる。
【００６２】
異常時であっても一部の画像処理を選択的に実施したり、画像処理の程度（強度）を正常時と相違させて実施してもよい。たとえば、ファイル化においてはファイルサイズを小さくすることが要請されるが、圧縮前のファイルサイズに対して圧縮後のファイルサイズが十分小さくなるように圧縮率を高めたり、解像度を下げたりすると、画質の劣化が進むので異常の確認が難しくなる。そこで、異常の確認に影響が出ないように、正常時よりも低い圧縮率で画像圧縮処理を施したり、異常の確認に影響が出ない範囲で解像度を下げる画像処理を施したりしてもよい。
【００６３】
異常が用紙内にあれば、画像トリミングについては、用紙外領域の削除を用紙のエッジ付近まで実施しても問題ない。用紙のエッジ付近までのトリミングは、ファイルサイズ削減および見た目の向上につながる。
【００６４】
また、ＲＧＢの直線性を補正する程度のγカーブであればγ変換の画像処理を異常時の読み取り画像に施してもよい。
【００６５】
このように、正常時に比べて、影響度を抑えた設定値で画像処理を行うことも可能である。
【００６６】
正常時・異常時に読み取り画像に施す画像処理の種類や程度（強度）に関する設定は、システム側で行ってもよいし、ユーザが選択設定できるようにしてもよい。
【００６７】
また、異常時に読み取り画像に施す画像処理の種類や程度に関する設定値は、発生した異常の属性（発生した場所、大きさ、濃度、異常の種類など）に応じて変更するとよい。たとえば、平坦な画像にスジが発生することがあるが、これは白紙の紙面上には発生せず、ある程度濃度のある画像上に発生するので、地肌除去を実施しても問題ない場合がある。そこで、異常の発生した場所に応じて画像処理を切り替える。すなわち、スジ等の異常が画像上のみに存在する場合は地肌除去の画像処理を施し、画像の異常が白紙の紙面上にあれば地肌除去を実施しないように設定する。
【００６８】
また、ホタル等の異常発生箇所のサイズや濃度が所定値を超える場合には、画像を圧縮したり解像度を下げたりしても、異常の状態を目で確認することに影響を与えない場合がある。一方、異常箇所のサイズや濃度が所定値以下のときは、画像を圧縮したり解像度を下げたりすると、異常が消えてしまうことがある。そこで、ホタル等の異常発生箇所のサイズや濃度に応じて、画像圧縮の程度（する／しないを含む）や解像度を下げる程度（する／しないを含む）を切り替えるようにしてもよい。
【００６９】
孤立点除去の場合、異常（孤立点）のサイズ、濃度に応じて、孤立点除去の画像処理をする／しない、もしくはどの程度のサイズまでの孤立点を除去するかの設定を変更する。
【００７０】
また、地肌に汚れ等の異常がある場合でも、一律に地肌除去を実施しないとはせずに、汚れの大きさや濃度に応じて、汚れが消えない範囲で控えめに地肌除去を行うようにしてもよい。
【００７１】
スジの異常が検出された場合には、回転処理を実施しないようにするとよい。スジは印刷時に生じる場合と読取部２０の汚れにより読み取り時に生じる場合がある。後者の場合はスジが同じ場所に出現する。しかし、スジの異常が検出された読み取り画像に対して回転処理を施すと、スジの場所が変化するため、スジの原因が読取部２０の汚れであるか否かを特定できなくなる。そこで、スジの異常が検出された場合は、読み取り画像に対する回転処理を禁止する。
【００７２】
図６は、読み取り画像に施す画像処理を正常・異常および異常の発生場所に応じて切り替える場合の処理の流れを示している。画像処理装置３０は、画像解析部４２が読み取り画像に対して行った画像解析の解析結果および読み取り画像を取得する（ステップＳ３０１）。取得した解析結果が正常を示す場合は（ステップＳ３０２；Ｎｏ）、読み取り画像に施す画像処理の内容として、正常時用の画像処理を設定し、該設定した画像処理を読み取り画像に施し、該画像処理後の読み取り画像と解析結果を含むファイルを生成（ファイル化）する（ステップＳ３０３）。たとえば、図４の処理を実施する。
【００７３】
解析結果が異常を示す場合は（ステップＳ３０２；Ｙｅｓ）、異常の発生場所が紙面上か画像上かを判断する（ステップＳ３０４）。ここでは、画像形成装置１１から入手した印刷用画像データに基づいて用紙内で印刷された画像のある場所を特定できるので、異常の発生場所が、印刷用画像データから特定した画像のある場所か否かを調べる。
【００７４】
異常が画像上のみにあれば（ステップＳ３０４；Ｎｏ）、読み取り画像に施す画像処理として、異常が画像上にある場合用の画像処理を設定し、該設定した画像処理を読み取り画像に施し、該画像処理後の読み取り画像と解析結果を含むファイルを生成（ファイル化）する（ステップＳ３０６）。異常が紙面上にある場合は（ステップＳ３０４；Ｙｅｓ）、読み取り画像に施す画像処理として、異常が紙面上にある場合用の画像処理を設定し、該設定した画像処理を読み取り画像に施し、該画像処理後の読み取り画像と解析結果を含むファイルを生成（ファイル化）する（ステップＳ３０５）。ステップＳ３０６の画像処理では、たとえば、地肌除去を実施して見た目の向上を図り、ステップＳ３０５の画像処理では異常が消えないように地肌除去を実施しない、もしくは程度を控える。
【００７５】
読み取り画像に施す画像処理の種類や程度は、１ページ内の画像領域に応じて変更してもよい。たとえば、地肌に汚れが付いた場合、汚れの部分だけコントラスを強調するようなγカーブでγ変換処理を行う。これにより、汚れの部分をより分かり易く表示することができる。
【００７６】
なお、コントラストを強調する等の画像処理は異常のある箇所だけでなくその周囲の領域にも施すことが望ましい、しかし、部分的にγカーブを相違させると、その部分と周辺との繋がりに違和感が出る場合がある。そこで、周辺画像の状況に応じて画像処理の内容を変更しても良い。たとえば、白い紙面上ではなく、画像上の汚れの場合、強調処理により、汚れと共に背景側の画像も変動してしまう。そこで、汚れの背景に画像がある場合は汚れの背景が白の場合に比べては強調処理を弱く施す、もしくは、領域拡張をしない、などの変更を行うようにしても良い。
【００７７】
図７は、ファイル生成部３８が読み取り画像に施す画像処理の内容を領域毎に変更する場合の処理を示している。図７の処理では、画像解析部４２による画像の解析処理を行いながら同時並行にファイル化のための画像処理を施す。
【００７８】
画像解析部４２は、領域もしくは画素毎に、その画素または領域の画像が正常であるか否かを判断する（ステップＳ４０１）。ここでは、画素単位に判断するものとして説明する。着目する画素が正常ならば（ステップＳ４０２；Ｙｅｓ）、当該画素に施す画像処理として正常時用の画像処理を設定し、該設定した画像処理を当該画素に施して（ステップＳ４０３）、ステップＳ４０８へ移行する。
【００７９】
着目する画素が異常画素の場合は（ステップＳ４０２；Ｎｏ）、着目する画素が紙面上にあるか画像上にあるかを判断する（ステップＳ４０４）。着目する画素が画像上にあるならば（ステップＳ４０４；Ｎｏ）、当該画素に施す画像処理として異常が画像上にある場合用の画像処理を設定し、該設定した画像処理をこの画素に施して（ステップＳ４０７）、ステップＳ４０８へ移行する。
【００８０】
着目する画素が紙面上にあるならば（ステップＳ４０４；Ｙｅｓ）、領域拡張を行い（ステップＳ４０５）、その領域内の各画素に施す画像処理として異常が紙面上にある場合用の画像処理を設定し、この設定した画像処理を領域内の各画素に施して（ステップＳ４０６）、ステップＳ４０８へ移行する。
【００８１】
ステップＳ４０８では、全画素について処理が完了したか否かを判断し、未完了ならば（ステップＳ４０８；Ｎｏ）、ステップＳ４０１に戻る。完了ならば（ステップＳ４０８；Ｙｅｓ）、画像処理後の読み取り画像をファイル化して本処理を終了する。
【００８２】
図８は、画像処理装置３０のファイル生成部３８が、異常時の画像処理を設定する処理を示す流れ図である。ファイル生成部３８は、検出された異常の属性（発生場所（紙面上、画像上、用紙外領域／用紙内領域）、異常のサイズ、異常の濃度、異常の種類（汚れ、スジ、ホタル）など）を示す情報を取得し（ステップＳ５０１）、該情報に基づいて、読み取り画像に対して施す画像処理の程度（オン／オフを含む）を設定する（ステップＳ５０２）。
【００８３】
ステップＳ５０２では、たとえば、図４のステップＳ１０１〜１０７の各画像処理や解像度変換について、その画像処理を実施する／しない、および実施する場合の程度、を決定する。
【００８４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８５】
実施の形態では、画像処理された読み取り画像と共に解析結果をファイル化したが、生成するファイルには解析結果を含めなくてもよい。正常時のファイルは、正常用のフォルダに保存し、異常時のファイルは異常用のフォルダに保存するようにしてもよい。ファイルに含める解析結果は、正常、異常のほか、異常の発生場所、種類、サイズ、濃度などユーザが異常の場所や内容を画像で確認する際の手助けとなる詳細情報を含めることが望ましい。なお、ファイルには、その他の情報、たとえば、印刷の日時、印刷装置の識別情報、環境情報（温度、湿度）などを含めるようにしてもよい。
【００８６】
実施の形態では、画像形成装置１１の後段に接続したインラインスキャナユニット１２で用紙を光学的に読み取る構成としたが、読取部２０は、搬送路上に設けるものに限定されるものではない。オフラインのスキャナであってもよい。
【００８７】
本発明は、読取部２０や画像解析部４２を含む画像処理システム４０とされてもよいし、読取部２０や画像解析部４２を含まず、読み取り画像の画像データや解析結果を受け取ってファイル化の処理を行う画像処理装置３０として構成されてもよい。さらに、情報処理装置を画像処理装置３０として機能させるプログラムとされてもよい。
【符号の説明】
【００８８】
３…外部装置
１０…印刷システム
１１…画像形成装置
１２…インラインスキャナユニット
１３…スタッカユニット
１３ａ…正常排紙部
１３ｂ…異常排紙部
２０…読取部
２１…上面側ラインイメージセンサ
２２…下面側ラインイメージセンサ
２３…搬送ローラ
３０…画像処理装置
３１…ＣＰＵ
３２…画像処理部
３３…記憶部
３４…入力部
３５…設定部
３６…ネットワーク通信部
３８…ファイル生成部
４０…画像処理システム
４２…画像解析部
５１…印刷部
５２…入力画像処理部
【図１】
2019201381.tif 000003
【図２】
2019201381.tif 000004
【図３】
2019201381.tif 000005
【図４】
2019201381.tif 000006
【図５】
2019201381.tif 000007
【図６】
2019201381.tif 000008
【図７】
2019201381.tif 000009
【図８】
2019201381.tif 000010